(57)【要約】【課題】取り付けのための作業性を向上すると共に、紐の抜け落ちを防止することのできる紐留め具を提供する。【解決手段】紐を通すための第１の挿通口を有した雌部材と、第２の挿通口を有するとともに、前記雌部材内に摺動自在に挿通された雄部材と、前記雄部材を前記雌部材から突出する方向へ付勢するバネ手段とを備え、前記雄部材をバネ手段の付勢力に抗して押圧することで、第１、第２の挿通口の位置を一致させて紐を挿通して固定する紐留め具であって、前記雄部材に形成された第２の挿通口の周縁から内側に向かって突出するリブを設けたので、１個の挿通口にループ状態に紐を通しても、抜け止めすることができる。【選択図】図１
2014004074.tif 000002
【特許請求の範囲】
【請求項１】
紐を通すための第１の挿通口を有した雌部材と、
第２の挿通口を有するとともに、前記雌部材内に摺動自在に挿通された雄部材と、
前記雄部材を前記雌部材から突出する方向へ付勢するバネ手段とを備え、
前記雄部材をバネ手段の付勢力に抗して押圧することで、第１、第２の挿通口の位置を一致させて紐を挿通して固定する紐留め具であって、
前記雄部材に形成された第２の挿通口の周縁から内側に向かって突出するリブを設けたことを備えたことを特徴とする紐留め具。
【請求項２】
前記リブは、略長円形または楕円形に形成された第２の挿通口の長軸中央に形成されたことを特徴とする請求項１に記載の紐留め具。
【請求項３】
前記リブは、第２の挿通口の下周縁から上に向かって突出形成されたことを特徴とする請求項１または２に記載の紐留め具。
【請求項４】
前記リブは、雄部材の幅寸法と略等しい長さを有することを特徴とする請求項１〜３の何れか１に記載の紐留め具。
【請求項５】
前記バネ手段は、前記雄部材と一体的に構成されたことを特徴とする請求項１〜４の何れか１に記載の紐留め具。
【発明の詳細な説明】
【技術分野】
【０００１】
この発明は、バックパック類の開口縁や衣服の袖口や頸廻りに配置されて開口度合いを調整する紐類（紐、ロープ、コード等）を任意の長さ位置で固定することができ、特に紐の取り込み操作が容易で有ると共にループ状の紐が抜け落ちる虞のない紐留め具に関するものである。
【背景技術】
【０００２】
従来、紐を２本挿通して使用する紐留め具には、図９に示すような２孔式の紐留め具と図１０に示すような１孔式の紐留め具が存在する。２孔式の場合、雄部材１は、雌部材２内側に摺動可能に配置されると共に、図外の係合爪等で所定量以上の突出が規制されている。また、雌部材２内に配置されたバネ部材によって、雄部材１は、突出方向に付勢されている。雄部材１と雌部材２にはそれぞれ、略等しい大きさの挿通口１ａ、１ｂ、２ａ、２ｂが形成されている。このような構成の紐留め具に紐Ｌを挿通する場合、雄部材１を押圧して、夫々の挿通口の位置を一致させた後、例えば挿通口１ａ、２ａ、２ｂ、１ｂの順に挿通しなければならなかった。２孔式の例として例えば、特許文献１に示すような紐留め具が開示されている。
【０００３】
また、図１０に示す１孔式の場合は、雄部材３と雌部材４に夫々楕円形の挿通口３ａ、４ａが形成されている。このような構成の紐留め具に２本の紐Ｌを挿通する場合、雄部材３を押圧して、夫々の挿通口３ａ、４ａの位置を一致させた後、ループ状の紐Ｌを２本、同時に挿通することができる。しかし、紐Ｌを緩める際に抜けてしまう虞があるために、抜け止めリング５を取り付ける必要があった。１孔式の例として例えば、特許文献２に示すような紐留め具が開示されている。
【先行技術文献】
【特許文献】
【０００４】
【特許文献１】特開２００８−１７８５８８号公報
【特許文献２】特開昭５９−１４８５１８号公報
【発明の概要】
【発明が解決しようとする課題】
【０００５】
しかし、図９に示す２孔式の紐留め具の場合では、矢印方向に紐Ｌを引張ってもループ状の紐が抜けることはないが、紐を紐留め具にセットする際に一本づつ挿入しなければならず、操作が煩雑であった。特に衣類の縫製工場等では不便であった。
また、図１０に示す１孔式の紐留め具の場合、ループ状の紐Ｌをそのまま挿入することができ操作が容易であるが、雄部材を押圧しながら紐Ｌを矢印方向に引くと抜け落ちてしまうために、抜け止めリング５を取付る必要があった。
【０００６】
この発明は、上記した従来の不都合を解消する為になされたもので、紐を通すための第１の挿通口を有した雌部材と、第２の挿通口を有するとともに、この雌部材内に摺動自在に挿通された雄部材の第２の挿通口の周縁から内側に向かって突出するリブを設けたので、１個の挿通口にループ状態に紐を通しても、抜け止めすることができる紐留め具を提供するものである。
【課題を解決するための手段】
【０００７】
この発明は、以下のような内容である。
（１）上記目的を達成するため、本発明は紐を通すための第１の挿通口を有した雌部材と、第２の挿通口を有するとともに、前記雌部材内に摺動自在に挿通された雄部材と、前記雄部材を前記雌部材から突出する方向へ付勢するバネ手段とを備え、前記雄部材をバネ手段の付勢力に抗して押圧することで、第１、第２の挿通口の位置を一致させて紐を挿通して固定する紐留め具であって、前記雄部材に形成された第２の挿通口の周縁から内側に向かって突出するリブを設けたことを特徴とする。
（２）また、前記リブは、略長円形または楕円形に形成された第２の挿通口の長軸中央に形成されたことを特徴とする。
（３）前記リブは、第２の挿通口の下周縁から上に向かって突出形成されたことを特徴とする。
（４）前記リブは、雄部材の幅寸法と略等しい長さを有することを特徴とする。
（５）前記バネ手段は、前記雄部材と一体的に構成されたことを特徴とする。
【発明の効果】
【０００８】
本発明は、紐を通すための第１の挿通口を有した雌部材と、第２の挿通口を有するとともに、前記雌部材内に摺動自在に挿通された雄部材と、前記雄部材を前記雌部材から突出する方向へ付勢するバネ手段とを備え、前記雄部材をバネ手段の付勢力に抗して押圧することで、第１、第２の挿通口の位置を一致させて紐を挿通して固定する紐留め具であって、前記雄部材に形成された第２の挿通口の周縁から内側に向かって突出するリブを設けたので、紐を挿通口に２本通す際に、紐の途中からループ状にして一度に挿通でき操作性を増すことができると共に、紐が引っ張られても引き抜ける虞もない。また、紐の引き抜け防止のために、リング等を取付る必要もない。
また、前記リブは、略長円形または楕円形に形成された第２の挿通口の長軸中央に形成されたので、紐が引き抜けるのを防止することができる。
また、前記リブは、第２の挿通口の下周縁から上に向かって突出形成されたので、紐が引き抜けるのを防止することができる。
また、紐を挿通口に通す際に、リブが邪魔になりにくく、紐の挿通作業が容易である。
また、前記リブは、雄部材の幅寸法と略等しい長さを有するので、確実に紐が引き抜けるのを防止することができる。
また、前記バネ手段は、前記雄部材と一体的に構成されたので、部品点数の削減を達成できる。
【図面の簡単な説明】
【０００９】
【図１】図１は、本発明の一実施形態を示す紐留め具の正面図である。
【図２】図２は、同紐留め具の側面図である。
【図３】図３は、同紐留め具を構成する雌部材の正面図である。
【図４】図４は、図３のＡ−Ａ線断面図である。
【図５】図５は、同紐留め具を構成する雌部材の側面図である。
【図６】図６は、図５のＢ−Ｂ線断面図である。
【図７】図７は、同紐留め具を構成する雄部材の正面図である。
【図８】図８は、同紐留め具の使用態様を示す説明図である。
【図９】図９は、従来の２孔式の紐留め具の一例を示す説明図である。
【図１０】図１０は、従来の１孔式の紐留め具の一例を示す説明図である。
【発明を実施するための形態】
【００１０】
本発明の紐留め具は、突出方向へバネ付勢された雄部材を付勢力に抗して押圧することで、挿通口の位置を一致させて紐を挿通して固定するものであって、雄部材に形成された挿通口の周縁から内側に向かって突出するリブを設けたので、１個の挿通口に紐の途中からループ状態に紐を通すことができると共に、抜け止めすることができる。
【実施例１】
【００１１】
以下、一実施の形態を示す図面に基づいて本発明を詳細に説明する。図１は本発明の一実施形態を示す紐留め具の正面図、図２は本発明の紐留め具の側面図、図３はその正面図、図４は、図３のＡ−Ａ線断面図である。ここで、紐留め具１０は、紐を通すための第１の挿通口１１を有した雌部材１２と、第２の挿通口１３を有するとともに、雌部材内に摺動自在に挿通された雄部材１４と、雄部材１４を雌部材１２から突出する方向へ付勢するバネ手段１５とを備え、雄部材１４をバネ手段１５の付勢力に抗して押圧することで、第１、第２の挿通口１１、１３の位置を一致させて紐を挿通して固定するものであって、前記雄部材１４に形成された第２の挿通口１３の周縁から内側に向かって突出するリブ１６を備えている。
【００１２】
雌部材１２は、図３〜図６に示すように本実施の形態では扁平な有底の筒状に形成されており、上端に雄部材１４の挿通される開口部１２ａを有している。また、雌部材１２には、ベルト等を挿通可能なベルト孔１７が形成されており、紐留め具１０自体をベルト等で取付部材に取付ることができる。更に、雌部材１２の上端近傍の左右の側壁１２ｂを貫通して第１の挿通口１１が形成されている。第１の挿通口１１は略長円形或いは楕円形に形成されている。
【００１３】
雄部材１４は、図７等に示すように雌部材１２の開口部１２ａより大きな頭部１８と、雌部材１２に挿入可能で扁平な本体部１４ａと、本体部１４ａを軸線に対して直角方向に貫いて形成された第２の挿通口１３と、雌部材１２の一部と係合して抜け止めとなるストッパ１９を有している。第２の挿通口１３は、第１の挿通口１１と略等しい大きさで、略長円形或いは楕円形に形成されている。
また、第２の挿通口１３の下周縁から内側（上）に向かってリブ１６が突出形成されている。更に、リブ１６は、第２の挿通口１３の長軸中央に形成されると共に、扁平な本体部１４ａの幅寸法Ｈと略等しい長さを有している（図２参照）。リブ１６の断面形状は、第２の挿通口１３の下周縁からなだらかに立ち上がり、略半円状の頂部を有している。
ストッパ１９は、本体部１４ａのリブ１６の下に配置され、横方向に突出しており、雌部材１２の第１の挿通口１１の上縁に当接して、雄部材１４の突出量を制限する。
【００１４】
バネ手段１５は、本実施の形態では波型に折曲された板状の弾性材より構成されており、先端に略円柱状の当接部１５ａが形成されている。また本実施の形態では、雄部材１４と一体的に合成樹脂等で構成されている。当接部１５ａは、雌部材１２の内底に当接し、バネ手段１５の変形量に拘わらず、常に内底面と線接触するよう構成されている。
【００１５】
このように構成された紐留め具１０の動作を図１、図８等に従って説明する。図１は、紐留め具１０に紐を挿通する前の状態を示すもので、バネ手段１５で突出方向に付勢された雄部材１４は、ストッパ１９によって突出が制限されている。この状態から、雄部材１４を押圧して第１の挿通口１１と第２の挿通口１３の位置を合わせた後、紐Ｌをループ状にして２本同時に挿通することができる。また、挿通した紐を引き抜こうとしても、図８に示すようにループ状の紐Ｌの間にリブ１６が位置するので、抜け落ちることがない。また、紐留め具１０は、ベルト孔１７にベルトを挿通して、バックパックや衣服に固定することができる。
【００１６】
本発明では、紐Ｌをループ状にして２本同時に挿通することができ、容易に挿入作業ができると共に、紐の端を引っ張っても抜け落ちることがなく、抜け止めリングの装着も必要ない。したがって、衣類の縫製工場等において作業性を向上することができる。
【００１７】
なお、以上の実施例ではバネ手段を波型に折曲された板状の弾性材から構成される例について説明したが、これに限ることなく、コイルバネ、線状バネ等から構成されるものであってもよい。
【符号の説明】
【００１８】
１０    紐留め具
１１    第１の挿通口
１２    雌部材
１２ａ  開口部
１２ｂ  側壁
１３    第２の挿通口
１４    雄部材
１４ａ  本体部
１５    バネ手段
１６    リブ
１７    ベルト孔
１８    頭部
１９    ストッパ
【図１】
2014004074.tif 000003
【図２】
2014004074.tif 000004
【図３】
2014004074.tif 000005
【図４】
2014004074.tif 000006
【図５】
2014004074.tif 000007
【図６】
2014004074.tif 000008
【図７】
2014004074.tif 000009
【図８】
2014004074.tif 000010
【図９】
2014004074.tif 000011
【図１０】
2014004074.tif 000012